(57)【特許請求の範囲】
【請求項１】
マガジン本体内で、ロール状態から繰り出されて直線状になった感光材料をその幅方向外方側から受け止める位置決め作用体を、前記マガジン本体の感光材料の排出口側に取り付けた位置決め作用体支持部に支持させ、
前記マガジン本体内の位置決め作用体を写真処理機本体内の感光材料の経路に対して位置決めする位置決め手段を設け、
前記位置決め手段は、
写真処理機本体側に設けた位置決め部に対する被位置決め部を前記位置決め作用体支持部に形成して構成してある感光材料収容マガジン。
【請求項２】
前記被位置決め部又は位置決め部を、軸芯が前記感光材料の幅方向に対応する方向に沿う嵌合孔部に形成するとともに、
前記位置決め部又は被位置決め部を、軸芯が前記感光材料の幅方向に対応する方向に沿う嵌合凸部と、
前記嵌合凸部よりも大径の拡径部とから成る嵌合体に形成した状態で、前記嵌合凸部と嵌合孔部とを嵌合させ、
前記嵌合体の拡径部の端面を前記嵌合孔部の端面に当接させることで、前記位置決め作用体を写真処理機本体内の感光材料の経路に対して位置決めするよう構成してある
請求項１記載の感光材料収容マガジン。
【請求項３】
写真処理機本体と、
請求項１記載の感光材料収容マガジンとを設け、
前記写真処理機本体に、前記感光材料収容マガジンの被位置決め部に対する位置決め部を形成してある写真処理機。
【請求項４】
写真処理機本体と、
請求項２記載の感光材料収容マガジンとを設け、
前記写真処理機本体に、前記感光材料収容マガジンの被位置決め部に対する位置決め部を形成し、前記位置決め部は、軸芯が前記感光材料の幅方向に対応する方向に沿う嵌合凸部と、前記嵌合凸部よりも大径の拡径部とから成る嵌合体に形成して構成するか、あるいは、軸芯が前記感光材料の幅方向に対応する方向に沿う嵌合孔部に形成して構成してある写真処理機。
【発明の詳細な説明】
【０００１】
【発明の属する技術分野】
本発明は、感光材料収容マガジン及びこの感光材料収容マガジンを備えた写真処理機に関する。
【０００２】
【従来の技術】
従来、感光材料収容マガジン（以下、「マガジン」と略称する）は、マガジン本体内で感光材料をその幅方向外方側から受け止め可能な位置決め作用体を、マガジン本体に取り付けた位置決め作用体支持部に支持させ、前記位置決め作用体を写真処理機本体内の感光材料の経路に対して位置決めする位置決め手段を設けて構成してあり、前記位置決め手段は、写真処理機本体側の位置決め部に押し当てる被位置決め部をマガジン本体の外周部に形成して構成してあった。
【０００３】
【発明が解決しようとする課題】
この種のマガジンでは、製作上の理由から前記位置決め作用体支持部をマガジン本体とは別体に形成して前者を後者に取り付けている。
【０００４】
そのために、マガジン本体に対する位置決め作用体支持部の取り付け誤差が出ることがある。
【０００５】
上記従来の構成によれば、マガジン本体側の外周部に設けた被位置決め部を、写真処理機本体側の位置決め部に押し当てることで位置決め作用体を写真処理機本体内の感光材料の経路に対して位置決めしていたために、写真処理機本体に対して感光材料収容マガジンをたとえ正確に位置決めできても、前記取り付け誤差が原因で写真処理機本体内の感光材料の経路に対して位置位め作用体支持部及び位置決め作用体を正確に位置決めすることができないことがあった。
【０００６】
その結果、マガジン本体内の感光材料の経路が、写真処理機本体内の感光材料の経路に対して位置ずれして、感光材料を円滑に搬送するのが困難になるという問題があった。
【０００７】
本発明の目的は、写真処理機本体内の感光材料の経路に対して位置決め作用体を正確に位置決めすることができて、感光材料を円滑に搬送することができるようにする点にある。
【０００８】
【課題を解決するための手段】
請求項１による発明の構成・作用・効果は次の通りである。
【０００９】
［構成］マガジン本体内で、ロール状態から繰り出されて直線状になった感光材料をその幅方向外方側から受け止める位置決め作用体を、前記マガジン本体の感光材料の排出口側に取り付けた位置決め作用体支持部に支持させ、前記マガジン本体内の位置決め作用体を写真処理機本体内の感光材料の経路に対して位置決めする位置決め手段を設け、前記位置決め手段は、写真処理機本体側に設けた位置決め部に対する被位置決め部を前記位置決め作用体支持部に形成して構成してある。
【００１０】
［作用］
前記位置決め手段により前記位置決め作用体支持部を写真処理機本体内の感光材料の経路に対して位置決めして、マガジン本体を写真処理機本体に取り付ける。
【００１１】
そして、マガジン本体の感光材料の排出口側に取り付けた位置決め作用体支持部に位置決め作用体を支持させた状態で、位置決め作用体により、ロール状態から繰り出されて直線状になった感光材料をその幅方向外方側から受け止めて感光材料を位置決めする。
【００１２】
前記位置決め手段は、写真処理機本体側に設けた位置決め部に対する被位置決め部を位置決め作用体支持部に形成して構成してあるから、位置決め作用体支持部をマガジン本体に取り付けるときに取り付け誤差が出ていても、その取り付け誤差に影響されることなく、写真処理機本体内の感光材料の経路に対して位置決め作用体支持部を正確に位置決めすることができる。
【００１３】
［効果］
従って、写真処理機本体内の感光材料の経路に対して位置決め作用体支持部を正確に位置決めすることができるから、位置決め作用体支持部に支持させた位置決め作用体も写真処理機本体内の感光材料の経路に対して正確に位置決めすることができ、これにより、感光材料を円滑に搬送することができるようになった。
【００１４】
請求項２による発明の構成・作用・効果は次の通りである。
【００１５】
［構成］
請求項１による発明の構成において、前記被位置決め部又は位置決め部を、軸芯が前記感光材料の幅方向に対応する方向に沿う嵌合孔部に形成するとともに、前記位置決め部又は被位置決め部を、軸芯が前記感光材料の幅方向に対応する方向に沿う嵌合凸部と、前記嵌合凸部よりも大径の拡径部とから成る嵌合体に形成した状態で、前記嵌合凸部と嵌合孔部とを嵌合させ、前記嵌合体の拡径部の端面を前記嵌合孔部の端面に当接させることで、前記位置決め作用体を写真処理機本体内の感光材料の経路に対して位置決めするよう構成してある。
【００１６】
［作用］
請求項１の構成による作用と同様の作用を奏することができるのに加え、次の作用を奏することができる。
【００１７】
写真処理機本体側（又はマガジン本体側）の嵌合体の嵌合凸部と、マガジン本体側（又は写真処理機本体側）の嵌合孔部とを嵌合させ、前記嵌合体の拡径部の端面を嵌合孔部の端面に当接させることで、位置決め作用体支持部及び位置決め作用体を写真処理機本体内の感光材料の経路に対して位置決めすることができる。
【００１８】
前記嵌合孔部と嵌合凸部とは、共に軸芯が感光材料の幅方向に対応する方向に沿っており、それらの嵌合で位置決め作用体支持部（及び位置決め作用体）の写真処理機本体内の感光材料の経路に対する位置を、感光材料の長手方向に対応する方向及び表裏方向に対応する方向で決めることができる。
【００１９】
そして、嵌合体の拡径部の端面を嵌合孔部の端面に当接させることで、位置決め作用体支持部（及び位置決め作用体）の写真処理機本体内の感光材料に対する位置を、感光材料の幅方向に対応する方向で決めることができる。
【００２０】
つまり、写真処理機本体内の感光材料の経路に対する位置決め作用体支持部及び位置決め作用体の位置を、感光材料の長手方向と幅方向とで正確に設定することができる。
【００２１】
［効果］
従って、請求項１の構成による効果と同様の効果を得やすくなった。
【００２２】
請求項３による発明の構成・作用・効果は次の通りである。
【００２３】
［構成］
写真処理機本体と、請求項１記載の感光材料収容マガジンとを設け、前記写真処理機本体に、前記感光材料収容マガジンの被位置決め部に対する位置決め部を形成してある。
【００２４】
［作用］
つまり、上記のように構成してあるから、請求項１の構成による作用と同様の作用を奏することができる。
【００２５】
［効果］
従って、請求項１の構成による効果と同様の効果を奏することができ、円滑に写真処理することができるようになった。
【００２６】
請求項４による発明の構成・作用・効果は次の通りである。
【００２７】
［構成］
写真処理機本体と、請求項２記載の感光材料収容マガジンとを設け、前記写真処理機本体に、前記感光材料収容マガジンの被位置決め部に対する位置決め部を形成し、前記位置決め部は、軸芯が前記感光材料の幅方向に対応する方向に沿う嵌合凸部と、前記嵌合凸部よりも大径の拡径部とから成る嵌合体に形成して構成するか、あるいは、軸芯が前記感光材料の幅方向に対応する方向に沿う嵌合孔部に形成して構成してある。
【００２８】
［作用］
つまり、上記のように構成してあるから、請求項２の構成による作用と同様の作用を奏することができる。
【００２９】
［効果］
従って、請求項２の構成による効果と同様の効果を得やすくなり、円滑に写真処理することができるようになった。
【００３０】
【発明の実施の形態】
以下、本発明の実施の形態を図面に基づいて説明する。
【００３１】
図１に、焼付処理部１と現像処理部２とを備えた写真処理装置を示してある。
【００３２】
前記焼付処理部１は、マガジン台１６を写真処理機本体２０に設け、ロール状に巻いた印画紙４ (感光材料に相当) を収容する第１マガジン３と第２マガジン５（共に感光材料収容マガジンに相当）とをマガジン台１６に横方向に並設して、印画紙４を第１マガジン３から繰り出す状態と、第２マガジン５から繰り出す状態とに切り換え自在に構成し、印画紙４をプリントサイズにカットするカッター６と、搬送用ベルトを含む露光台７と、光源８と、ミラートンネル９と、ネガキャリア１０と、レンズユニット１１とを写真処理機本体２０に設けて構成してある。
【００３３】
焼付露光された印画紙４は、搬送装置１２により搬送されて現像処理部２へ送り込まれる。
【００３４】
前記現像処理部２は、現像処理液を貯留する複数の処理槽からなる現像処理槽１４を備えている。現像処理部２を通過した印画紙４は、乾燥処理部１５に送り込まれ、乾燥処理部１５の搬送経路を印画紙４が通過する間に、適宜乾燥されてプリント排出部１３から排出される。
【００３５】
次に、前記第１マガジン３について説明する（第２マガジンは第１マガジンと同一構造であるのでその説明は省略する）。
【００３６】
図２に示すように、前記第１マガジン３はマガジン本体１７を上ケース１８と下ケース１９とに分割するとともに、上ケース１８と下ケース１９とを印画紙排出口２１側の横軸芯Ｐ周りに揺動開閉自在に連結した二つ割り構造に構成してある。
【００３７】
図４，図５（イ），（ロ），（ハ），（ニ）に示すように、ロール状態から繰り出されて直線状になった印画紙４をその幅方向外方側から受け止める左右一対の幅規制ガイド２２（位置決め作用体に相当）を、位置変更機構２３を介して印画紙４の幅方向に対応する方向に位置変更調節可能に下ケース１９側のガイドベース２４（位置決め作用体支持部に相当）に支持させて、幅の異なった複数の印画紙４ごとに、前記幅規制ガイド２２の位置を変更調節することで、前記複数の印画紙４をその幅方向で位置決め可能に構成してある。
【００３８】
前記幅規制ガイド２２は、印画紙４の長手方向に沿う板状の印画紙受け止め部２５を、ガイドベース２４に対する板状の取り付け部２６から立ち上げて形成してある。
【００３９】
前記位置変更機構２３は、ガイドベース２４の左半分側と右半分側とに、印画紙４の長手方向に対応する方向に沿う複数の溝部２７から成る溝群をそれぞれ形成するとともに、印画紙４の幅方向に対応する方向（つまりガイドベース２４の長手方向）に並ぶ複数の雌ねじ部２８から成る雌ねじ群をそれぞれ形成し、幅規制ガイド２２の印画紙受け止め部２５の底面側に、いずれかの溝部２７を選択してその溝部２７の内壁に当接する係止凸部２９を、印画紙４の長手方向に対応する方向に沿う状態に突設し、幅規制ガイド２２の取り付け部２６に、いずれかの雌ねじ部２８を選択して、その雌ねじ部２８に対するボルトを挿通させる第１ボルト挿通長孔３０と第２ボルト挿通長孔３１とを、印画紙４の幅方向に対応する方向に長く形成して構成してある。
【００４０】
つまり、幅規制ガイド２２の係止凸部２９を前記複数の溝部２７のうちいずれかの溝部２７の内壁に当接させ、第１又は第２ボルト挿通長孔３０，３１に挿通させたボルトを、対応する雌ねじ部２８に螺合することで幅規制ガイド２２を位置決め固定し、その状態で幅規制ガイド２２により印画紙４をその幅方向で位置決めする。
【００４１】
前記位置決め作用体２２を写真処理機本体２０内の印画紙４の経路に対して位置決めする位置決め手段を設け、この位置決め手段は、写真処理機本体２０側のマガジン台１６に設けた位置決め部３２に対する被位置決め部３３を前記ガイドベース２４に形成して構成してある。
【００４２】
前記被位置決め部３３は、ガイドベース２４の長手方向の一端面側に膨出形成した丸ボス部３４に、軸芯が印画紙４の幅方向に対応する方向に沿う孔を形成するとともに、この孔にブッシュ３５を打ち込んで嵌合孔部３６に形成してある。
【００４３】
そして前記位置決め部３２を、軸芯が印画紙４の幅方向に対応する方向に沿う嵌合凸部３７と、この嵌合凸部３７よりも大径の拡径部３８とから成る嵌合体に形成した状態で、前記嵌合凸部３７と嵌合孔部３６とを嵌合させ、嵌合体の拡径部３８の端面を嵌合孔部３６の端面に当接させることで位置決めするよう構成してある。
【００４４】
また図３に示すように、前記ガイドベース２４の他端面側に対応する下ケース部分に、補助の被位置決め部としての位置決め孔部３９を設け、マガジン台１６側に設けた補助の位置決め部としてのピン４０を、印画紙４の幅方向に対応する方向で嵌合させるよう構成してある。
【００４５】
前記写真処理機本体２０には、前述したように、第１マガジン３の被位置決め部３３に対する位置決め部３２を形成し、前記位置決め部３２は、軸芯が前記感光材料４の幅方向に対応する方向に沿う嵌合凸部３７と、前記嵌合凸部３７よりも大径の拡径部３８とから成る嵌合体に形成して構成してある。
【００４６】
［別実施形態］
前記第１及び第２マガジン３，５側の被位置決め部３３を、軸芯が印画紙４の幅方向に対応する方向に沿う嵌合凸部と、嵌合凸部よりも大径の拡径部とから成る嵌合体に形成し、マガジン台１６側の位置決め部３２を、軸芯が印画紙の幅方向に対応する方向に沿う嵌合孔部に形成してあってもよい。
【００４７】
前記感光材料は印画紙以外のものであってもよい。
【図面の簡単な説明】
【図１】写真処理機の概略全体側面図
【図２】マガジンを後方から見た図
【図３】図２のＡ−Ａ視図
【図４】ガイドベースを位置決めした状態を示す図
【図５】幅規制ガイドを示す図
【符号の説明】
４            感光材料
１７            マガジン本体
２０            写真処理機本体
２２            位置決め作用体
２４            位置決め作用体支持部
３２            位置決め部
３３            被位置決め部
３６            嵌合孔部
３７            嵌合凸部
３８            拡径部
【図１】
0003830012.tif 000002
【図２】
0003830012.tif 000003
【図３】
0003830012.tif 000004
【図４】
0003830012.tif 000005
【図５】
0003830012.tif 000006